(57)【要約】【課題】作業中の熱の放出を極力押さえ、操作が簡単で短時間で蒸篭の出し入れができ、しかもゴムマットを蒸篭昇降装置の基部と蒸し器との間に載置する手間が不要にある蒸篭昇降装置を提供する。【解決手段】蒸し器２０の上に複数段に積み重ねられた蒸篭１を昇降する装置である。蒸し器２０の上に載置される枠体２と、枠体２に連結された昇降機構４と、昇降機構４に連結され蒸篭１を支持する支持手段６とを有し、枠体２の下面に全周に亘って凹溝２１が形成され、凹溝２１内に弾性なパッキン２２が装着されている。【選択図】図１
2008289675.tif 000002
【特許請求の範囲】
【請求項１】
蒸し器の上に複数段に積み重ねられた蒸篭を昇降する装置であって、
蒸し器の上に載置される枠体と、該枠体に連結された昇降機構と、該昇降機構に連結され蒸篭を支持する支持手段とを有し、
該枠体の下面に全周に亘って凹溝が形成され、該凹溝内に弾性なパッキンが装着されている蒸篭昇降装置。
【請求項２】
前記パッキンはシリコーンゴム製であり、前記凹溝内に圧入によって装着されている請求項１に記載の蒸篭昇降装置。
【請求項３】
前記昇降機構は、前記枠体の両側にそれぞれ連結された一対のレールと、該レールに接続されたパンタグラフリンクとを有し、この一対のパンタグラフリンクの上端部に枠状の支持手段が移動可能に接続され、
該レールには長孔が形成されて該パンタグラフリンクの下端部が移動可能に連結されていると共に、該パンタグラフリンクの下端部にハンドルが接続され、
該ハンドルを操作することにより、該パンタグラフリンクが駆動して蒸篭の支持手段が上下動し、かつ、蒸篭の支持手段により蒸篭の側面に突設した係止突起が係止可能に構成されている請求項１に記載の蒸篭昇降装置。
【発明の詳細な説明】
【技術分野】
【０００１】
本発明は、蒸篭の内部に蒸すべき食品を収納し、これをボイラーなどの蒸し器の上に複数段に積み重ね、蒸篭内の食品が蒸し上がると、その蒸篭が取り出されると共に、新たな蒸篭を補充する作業を順次繰り返す蒸篭昇降装置に関する。
【背景技術】
【０００２】
蒸篭の内部にもち米，赤飯、蓋豚まん、茶碗蒸し、釜飯などの蒸し物を収納し、蒸し温める場合は、従来、蒸篭を蒸し器の上に複数段、例えば２〜６段に積み重ね、最下段の蒸篭内の蒸し物（食品）が蒸し上がると、下から２段目より上の複数段の蒸篭を持ち上げた状態で最下段の蒸篭を引き抜くようにする。そして、残った複数段の蒸篭を蒸し器の上に下ろし、新たな蒸篭を最上段に載せて蒸す作業が繰り返し行われる。
【０００３】
このように、従来は、蒸し上がった食品が収納された最下段の蒸篭を引き抜く際、残りの蒸篭を手作業により持ち上げた状態としなければならないため、複数の作業者による効率の作業となり、作業者の肉体的疲労も大であった。
【０００４】
また、単一の作業者で操作しようとすると、蒸し上がっていない食品が収納された残りの蒸篭を持ち上げ、一旦別の場所に置いた後、蒸し上がった食品が収納された蒸篭の出し入れをすることとなるため、作業に時間がかかり、蒸されつつある食品から熱が逃げ、表面が固い味の良くない食品となりがちであった。
【０００５】
そこで、例えば特開平１０−２９５５４３号公報（特許文献１）には、蒸し上がった食品が収納された蒸篭を引き抜く際に、二段目以上の蒸篭をハンドル操作により機械的に昇降するようにした蒸篭昇降装置が開示されている。
【０００６】
このような蒸篭昇降装置においては、蒸し器の上端に蒸篭昇降装置の木製の枠体が載置されるが、蒸し器からの蒸気が漏れないように、蒸し器の上端と枠体との間に枠状のゴムマットが介装されている。
【０００７】
しかし、このような構成であると、ゴムマットを蒸篭昇降装置の枠体と蒸し器との間に載置する手間が必要であり、また枠体の位置に合わせる必要があるので作業性にも劣っていた。
【特許文献１】特開平１０−２９５５４３号公報
【発明の開示】
【発明が解決しようとする課題】
【０００８】
本発明は、従来の蒸篭を用いた蒸し作業における上記の問題点を解決し、作業中の熱の放出を極力押さえ、操作が簡単で短時間で蒸篭の出し入れができ、しかもゴムマットを蒸篭昇降装置の枠体と蒸し器との間に載置する手間が不要である蒸篭昇降装置を提供することを目的とする。
【課題を解決するための手段】
【０００９】
本発明の蒸篭昇降装置は、蒸し器の上に複数段に積み重ねられた蒸篭を昇降する装置であって、蒸し器の上に載置される枠体と、該枠体に連結された昇降機構と、該昇降機構に連結され蒸篭を支持する支持手段とを有し、該枠体の下面に全周に亘って凹溝が形成され、該凹溝内に弾性なパッキンが装着されており、そのことにより上記目的が達成される。
【００１０】
一つの実施形態では、前記パッキンはシリコーンゴム製であり、前記凹溝内に圧入によって装着されている。
【００１１】
一つの実施形態では、前記昇降機構は、前記枠体の両側にそれぞれ連結された一対のレールと、該レールに接続されたパンタグラフリンクとを有し、この一対のパンタグラフリンクの上端部に枠状の支持手段が移動可能に接続され、該レールには長孔が形成されて該パンタグラフリンクの下端部が移動可能に連結されていると共に、該パンタグラフリンクの下端部にハンドルが接続され、該ハンドルを操作することにより、該パンタグラフリンクが駆動して蒸篭の支持手段が上下動し、かつ、蒸篭の支持手段により蒸篭の側面に突設した係止突起が係止可能に構成されている。
【発明の効果】
【００１２】
この発明に係る蒸篭昇降装置によれば、蒸し上がった食品が収納された蒸篭を引き抜く際、積み重ねた蒸篭をハンドル操作により機械的に昇降することができるので、従来の人手による積み卸し作業に比較して短時間で作業ができて、効率がよく、作業者の肉体的疲労を軽減できる。また、蒸篭の位置決めが正確にできるので、昇降作業中に熱が逃げて表面が固くなるようなことがなく、品質のよい食品を製造できる。
【００１３】
また、枠体の下面に全周に亘って凹溝が形成され、凹溝内に弾性なパッキンが装着されているので、蒸篭昇降装置を蒸し器の上に載置した際には、このパッキンが蒸し器の上に弾性的に圧着して蒸し器と枠体との間からの蒸気漏れを防止できると共に、従来のように枠体と蒸し器との間に枠状パッキンを挿入する手間がなくなり、また位置あわせする手間もない。また、棒状のパッキンによって蒸し器上面に圧着できので、蒸気の漏れを確実に防止できる。
【発明を実施するための最良の形態】
【００１４】
本発明の実施形態を図面に基づいて説明する。
【００１５】
図１に示すように、本発明の蒸篭昇降装置Ａは、ボイラーなどの蒸し器の上に載置される枠体２と、該枠体２に連結された昇降機構４と、該昇降機構４に連結され蒸篭１を支持する支持手段６とを有する。
【００１６】
蒸し器２０はその上端部に四角状の開口部を有するフレーム２３を有し、このフレーム２３上に枠体２が載置される（図２）。
【００１７】
枠体２は木材などで形成され、図２および図３に示すように、枠体２の下面には全周に亘って連続する凹溝２１が形成され、該凹溝２１内に弾性なパッキン２２が装着されている。凹溝２１の断面形状としては、四角形、台形、半円形などでもよいが、生産性の点では四角形であるのが好ましい。
【００１８】
パッキン２２としては、シリコーンゴム、ウレタンゴム、天然ゴム製など公知のものを使用することができるが、耐熱性および弾性に優れたシリコーンゴム製のものが特に好ましい。例えば、内部に空洞部を有する発泡シリコーンゴムを使用することができる。
【００１９】
このパッキン２２を凹溝２１内に圧入することによりパッキン２２は凹溝２１に装着される。図２に示すように、木製枠体２の下面の幅方向の略中央部に凹溝２１を形成し、一本の棒状ゴムを凹溝２１内に挿入することによってパッキン２２を構成することができる。
【００２０】
限定するものではないが、凹溝２１の幅寸法は８〜１４ｍｍ、好ましくは１０〜１２ｍｍ、凹溝２１の深さは４〜１０ｍｍ、好ましくは６〜８ｍｍとすることができ、また枠体２底面からのパッキン２２の突出寸法は３〜６ｍｍ、好ましくは４〜５ｍｍとすることができる。これらの各寸法は、枠体２のサイズ、パッキン２２のサイズ等に応じて変更することができる。
【００２１】
次に、蒸篭昇降装置Ａの昇降機構４を説明する。
【００２２】
昇降機構４は、枠体２の両側にそれぞれ連結された一対のレール１０、１０と、該レール１０に接続されたパンタグラフリンク１１と、この一対のパンタグラフリンク１１の上端部に前後方向へ移動可能に接続された枠状の支持手段６と、を有する。
【００２３】
パンタグラフリンク１１は、持上棒１２をＸ字状に連結して構成されている。
【００２４】
各レール１０の前端部には長孔１５が形成されている。この長孔１５内に、パンタグラフリンク１１の前部側の下端部に連結された軸部１６が前後移動可能に挿入されている。またパンタグラフリンク１１の後側の下端部は後部軸部１８によってレール１０の後端部に回動可能に連結されている。
【００２５】
前部側の軸部１６にハンドル１７の基部が回動可能に連結され、またハンドル１７の該基部近傍にてロット２５の前端部が連結され、このロット２５の後端部が後部軸部１８に回動可能に連結されている。
【００２６】
パンタグラフリンク１１の上端部においては、枠状の支持手段６が接続されている。そして、ハンドル１７を上げ下げ操作することにより、リンク１１が駆動して蒸篭の支持手段６を昇降するように構成されている。
【００２７】
支持手段６は、一対の枠部材２６と、両枠部材２６間に連結された連結軸２７、蒸篭持上軸１４、角棒２９、倒子連結軸３０、および持上連結軸３１を有する。
【００２８】
枠部材２６の一端部は、リンク１１を構成する持上棒１２の上端部に回動可能に連結された略Ｌ字形の倒子ピン２８に回動可能に連結されている。枠部材２６の他端部は、持上棒１２の上端に固定された支持部（図示せず）上に前後方向へ移動可能に載置されている。
【００２９】
なお、蒸篭１は従来より公知のものであり、蒸篭１の前部側面および後部側面には係止突起８がそれぞれ突設されている（図４）。
【００３０】
上記の構成からなる蒸篭昇降装置Ａの作用について説明する。
【００３１】
先ず、図３および図４に示すように、蒸し器２０のフレーム２３上に、蒸篭昇降装置Ａを載置する。該装置Ａの枠体２の下面にはパッキン２２が突設されていることにより、フレームと枠体２との隙間をパッキン２２によって塞いで蒸し器２０から出される蒸気が両者間の隙間から外部へ漏れることがない。
【００３２】
この枠体２の上に、蒸すべき食品としての、例えば、もち米，赤飯などが収納された蒸篭１を複数段に積み重ねる。
【００３３】
最下段に位置する蒸し上がった食品が収納された蒸篭１を抜き出すときには、次のように行う。
【００３４】
図５に示すように、枠連結軸２７を手前に引く。この操作により、倒子ピン２８が回動して、倒子連結軸３０が蒸篭１の後部の係止突起８下面に係合する。
【００３５】
次に、ハンドル１７を持ち、水平の位置から９０°程度の位置まで引き上げると同時に、枠連結軸２７を押し操作する（図６）。この操作により、蒸篭持上軸１４（又は角棒２９）が蒸篭１の前部の係止突起８下面に係合される。
【００３６】
次に、ハンドル１７を水平位置まで下げ、２段目以上の蒸篭１を持ち上げた状態とする。この状態では、ハンドル１７とロット２５との連結軸が、持上棒１２とハンドル１７の連結部の支点を越えるので、昇降機構４の上昇状態が維持される。
【００３７】
この状態で一段目の蒸篭１を取り出す（図７〜図９）。
【００３８】
次に、枠連結軸２７を蒸篭１の前部の係止突起８下面に押し付け、蒸篭１が枠体２上に完全に載るまで、ハンドル１７を水平位置から徐々に持ち上げ、水平状態に戻す。次に、蒸篭１の蓋を取り、次に蒸す蒸篭１を上段の蒸篭１上に積み上げ、蓋をし蒸しにかける（図１０）。
【００３９】
なお、上記実施形態では、１本のパッキン２２を枠体２の下面に設けたが、２本以上のパッキン２２を枠体下面に設けてもよい。
【００４０】
また、昇降機構はハンドルの操作により昇降可能としたが、特開平１０−２９５５４３号公報に記載のように、ウォームギヤ５を構成するウォーム、ウォームホイールなどを取り付けてもよい。
【図面の簡単な説明】
【００４１】
【図１】本発明の蒸篭昇降装置の一実施形態の斜視図である。
【図２】図１で示した蒸篭昇降装置の枠体の底面図である。
【図３】図１で示した蒸篭昇降装置の枠体の断面図である。
【図４】本発明の蒸篭昇降装置の作用説明図であり、ボイラーの上に蒸篭昇降装置および蒸篭を段積みした状態を示す。
【図５】本発明の蒸篭昇降装置の作用説明図であり、枠連結軸を手前に引いた状態を示す。
【図６】本発明の蒸篭昇降装置の作用説明図であり、蒸篭を持ち上げる前の状態を示す。
【図７】本発明の蒸篭昇降装置の作用説明図であり、蒸篭を持ち上げた状態を示す。
【図８】本発明の蒸篭昇降装置の作用説明図であり、蒸篭の持ち上げが完了した状態を示す。
【図９】本発明の蒸篭昇降装置の作用説明図であり、蒸篭を取り出している状態を示す。
【図１０】本発明の蒸篭昇降装置の作用説明図であり、２段目以上の蒸篭を蒸しにかける状態を示す。
【符号の説明】
【００４２】
１    蒸篭
２    枠体
４    昇降機構
６    支持手段
８    係止突起
１０  レール
１１  パンタグラフリンク
２１  凹溝
２２  パッキン
【図１】
2008289675.tif 000003
【図２】
2008289675.tif 000004
【図３】
2008289675.tif 000005
【図４】
2008289675.tif 000006
【図５】
2008289675.tif 000007
【図６】
2008289675.tif 000008
【図７】
2008289675.tif 000009
【図８】
2008289675.tif 000010
【図９】
2008289675.tif 000011
【図１０】
2008289675.tif 000012